(57)【要約】【課題】入力されたデータを一部バーコードに変換する技術が開示されているが、この技術では入力データの漏洩を防止することができても、入力した本人が再度確認したり、参照することができず、さらに、バーコードには漢字入力データの変換ができなかったり、使用されるコードの制限、桁数などの制限があり不便であった。【解決手段】電子フォームで複数の入力枠が形成された入力画面の入力情報を保護する方法であって、先に入力された入力枠の情報は、カーソルが次の入力枠に移動すると読解不能な状態に変換されて表示され、カーソルが先の入力枠に戻ると、先に入力された入力枠の情報は変換される前の状態に復元されて表示されることを特徴とする入力画面の保護方法を提供する。【選択図】  図１
2005135050.tif 000002
【特許請求の範囲】
【請求項１】
電子フォームで複数の入力枠が形成された入力画面の入力情報を保護する方法であって、
先に入力された入力枠の情報は、カーソルが次の入力枠に移動すると読解不能な状態に変換されて表示され、
カーソルが先の入力枠に戻ると、先に入力された入力枠の情報は変換される前の状態に復元されて表示されることを特徴とする入力情報の保護方法。
【請求項２】
前記入力情報の変換は、各入力枠に貼付された変換プログラムによって実行されることを特徴とする請求項1に記載の入力情報の保護方法。
【請求項３】
前記入力枠への入力が完了し、入力情報が入力画面から他に変更されるときは各入力枠に貼付された変換プログラムが解除されることを特徴とする請求項２に記載の入力情報の保護方法。
【請求項４】
前記読解不能な状態は、入力済であることが判る状態の空欄を含む状態であることを特徴とする請求項1に記載の入力情報の保護方法。
【請求項５】
前記読解不能な状態は、入力済であることが判るように文字、または記号での表示を含む状態であることを特徴とする請求項1に記載の入力情報の保護方法。
【請求項６】
前記入力枠に貼付された変換プログラムの読解不能化機能は、入力画面に形成された保護解除ボタンによって解除されることを特徴とする請求項1〜５何れかに記載の入力情報の保護方法。
【発明の詳細な説明】
【技術分野】
【０００１】
本発明は、入力中の画面の入力済情報が読解不能な状態で表示される入力情報の保護方法に関する。
【背景技術】
【０００２】
近年、電子フォームが盛んに利用されている。
電子フォームは、従来、紙に印刷された帳票を使用して行っていた各種の申請業務等をネットワーク上で行うために開発されたもので、電子フォームを利用することによって、データの入力や、データの送信が従来帳票に記入する感覚と同感覚でＷｅｂブラウザ上で可能になる。また、データを送信する場合は、データが改竄されないようにフォーマットを含めて暗号化できるようになっており、データ送受信中のセキュリティが保護されるようになっている。
また、入力画面を電子フォーム化することによって、オフライン環境下で入力作業を行うことができ、通信費の節約を計ることができる。
【０００３】
上述のように、データの送受信時の安全性に関しては検討されているが、入力中のデータの安全性に関しては研究されていない。画面に向かって入力中のデータは、両サイド、後方から覗かれている可能性がある。とりわけ、入力中に急用で席を離れる場合などは危険である。
従来、パスワードの入力欄など覗かれては困る入力枠に入力された情報は、画面表示されない保管領域内に保管され、画面上には入力された文字列と同じ長さの意味のない記号が表示される。そして、前記意味のない記号は、もとの入力情報に戻すことができず、間違って入力された場合などは修正することができなかった。
【０００４】
また、サーバと端末装置とがネットワークを介して接続されたクレジット申込システムにおいて、サーバは、電子フォームである申込書フォームを端末装置に送信すると、端末装置は、サーバから送られた申込書フォームを表示手段に表示させて、必要事項を入力する。所定の項目にデータ入力されると、そのデータをバーコードに変換して表示するプログラムによって、秘密情報の漏洩を防止するという発明が開示されている（特許文献１参照）。
【０００５】
【特許文献１】特開２００３−１５０７９７号公報
【発明の開示】
【発明が解決しようとする課題】
【０００６】
上述の開示技術は、入力データの漏洩を防止することができるが入力した本人が確認したり、参照することができず、さらに、バーコードには漢字入力データの変換ができなかったり、使用されるコードの制限、桁数などの制限があり不便であった。
【課題を解決するための手段】
【０００７】
前記課題の目的を達成するために、本発明の入力情報の保護方法の請求項１に記載の発明は、電子フォームで複数の入力枠が形成された入力画面の入力情報を保護する方法であって、先に入力された入力枠の情報は、カーソルが次の入力枠に移動すると読解不能な状態に変換されて表示され、カーソルが先の入力枠に戻ると、先に入力された入力枠の情報は変換される前の状態に復元されて表示されることを特徴とするものである。
【０００８】
また、請求項２に記載の発明は、請求項1に記載の発明において、入力情報の変換は、各入力枠に貼付された変換プログラムによって実行されることを特徴とするものである。
【０００９】
また、請求項３に記載の発明は、請求項２に記載の発明において、入力枠への入力が完了し、入力情報が入力画面から他に変更されるときは各入力枠に貼付された変換プログラムが解除されることを特徴とするものである。
【００１０】
また、請求項４に記載の発明は、請求項1〜３の何れかに記載の発明において、読解不能な状態は、入力済であることが判る状態の空欄を含む状態であることを特徴とするものである。
【００１１】
また、請求項５に記載の発明は、請求項1〜３の何れかに記載の発明において、読解不能な状態は、入力済であることが判るように文字、または記号での表示を含む状態であることを特徴とするものである。
【００１２】
また、請求項６に記載の発明は、請求項1〜５何れかに記載の発明において、入力枠に貼付された変換プログラムの読解不能化機能は、入力画面に形成された保護解除ボタンによって解除されることを特徴とするものである。
【発明の効果】
【００１３】
１）請求項１に記載のように、電子フォームで複数の入力枠が形成された入力画面の入力情報を保護する方法であって、先に入力された入力枠の情報は、カーソルが次の入力枠に移動すると読解不能な状態に変換されて表示され、カーソルが先の入力枠に戻ると、先に入力された入力枠の情報は変換される前の状態に復元されて表示されることによって、パーソナルコンピュータ等の入力装置に入力し終わった、または入力中の項目に関し、次の項目に移動した時点で入力された情報が読解不能な状態に変換されるため、第三者が前記装置を操作しない限り入力データを見ることができず、安心して重要情報を入力することができる。
また、必要な場合は、周囲の安全性を確認しながら入力情報を復元して確認することができる。
２）また、請求項２に記載のように、請求項1に記載の発明において、入力情報の変換は、各入力枠に貼付された変換プログラムによって実行されることによって、入力枠の内容によって入力情報を変換して表示させたり、そのまま表示させたりすることができる。
【００１４】
また、請求項３に記載のように、請求項２に記載の発明において、入力枠への入力が完了し、入力情報が入力画面から他に変更されるときは各入力枠に貼付された変換プログラムが解除されることによって、送信、印刷、または保管を便利に行うことができる。
【００１５】
また、請求項４に記載のように、請求項1〜３の何れかに記載の発明において、読解不能な状態は、入力済であることが判る状態の空欄を含む状態であることによって、未入力なのか、一部または全情報が入力されているのか判別が可能で、第三者に対しては入力情報を漏洩から保護することができる。
【００１６】
また、請求項５に記載のように、請求項1〜３の何れかに記載の発明において、読解不能な状態は、入力済であることが判るように文字、または記号での表示を含む状態であることによって、未入力なのか、一部または全情報が入力されているのか判別が可能で、第三者に対しては入力情報を漏洩から保護することができる。
【００１７】
また、請求項６に記載のように、請求項1〜５何れかに記載の発明において、入力枠に貼付された変換プログラムの読解不能化機能は、入力画面に形成された保護解除ボタンによって解除されることで、覗かれる危険性が無い場所での入力時に有効である。
【発明を実施するための最良の形態】
【００１８】
以下、図面を参照して本発明の入力情報の保護方法について説明する。
図１は、本発明の入力情報の保護方法について説明するための図、図２は、従来の入力画面の一例について説明するための図、図３は、従来の入力画面の他の一例について説明するための図、図４は、従来の技術について説明するための図、図５は、本発明における入力済み情報の変換方法の一例について説明するための図、図６は、本発明における入力済み情報の変換方法の他の一例について説明するための図、である。
【００１９】
図１を参照して、本発明の入力情報の保護方法について詳しく説明する。
電子フォームによる氏名、住所、電話番号の入力画面１において、氏名入力枠１１、住所入力枠１２、電話番号入力枠１３の順に入力する。それぞれの情報を入力する場合は、カーソル５をカーソルキー、またはマウスによってそれぞれの入力枠の先頭に移動させて入力する。
【００２０】
電子フォームの場合、それぞれの入力枠には各種の編集プログラムが接続（以下貼付という。）されいる。キーボードによって氏名入力枠に氏名を入力すると、文字の書体、大きさを指定するプログラムによって、例えば、明朝体の１１ポイントの文字を表示する。
また、入力された情報は、入力枠に貼付されている編集プログラムによって所定のメモリエリアにまとめて保管される。また、その入力枠から他の入力枠にカーソルが移動すると、今まで入力していた入力枠の情報を所定の変換情報に置き換えて表示したり、その入力枠にブラインドを掛けて表示したりする。
【００２１】
ａ図において、まず、以下で説明する各入力枠に貼付された変換プログラムを解除するか否か決定する。
例えば、自宅で入力する場合などのように入力情報を変換する必要が無い場合は、変換機能を解除する保護解除ボタン１４を押して入力作業を行う。
以下の説明では、保護解除ボタン１４を使用しない場合について説明する。
【００２２】
ａ図において、入力画面１の氏名入力枠１１に「日本太郎」と入力する。氏名入力枠１１には、入力情報を編集するための変換プログラム１１０が貼付されており、氏名入力作業を行っている間は入力された情報が入力された状態で表示される。
入力された氏名が正しいことを確認して氏名情報の入力を終了する。
【００２３】
カーソルは、画面上の入力位置を示すマークで、次に入力する文字が入力画面上のどこに表示されるかを示す。キーボードを使用して行う場合は、カーソルキーを使用し、縦線状のマークや、アンダーラインで入力位置を表示する。マウスを使用する場合は、ターゲットとするプログラムファイルや、アイコンを矢印マークなどで指定し、左クリックすることによって指定する。
【００２４】
カーソル５をａ図の状態から住所入力枠１２に移動させる。カーソル５を住所入力枠１２の先頭位置に移動させた時点で氏名入力枠に入力された漢字の氏名は、ｂ図に示すように「＊＊＊＊」に変換されて表示される。
住所入力枠１２に「東京都新宿区市谷１−２−３」と入力する。入力された住所が正しいことを確認して、カーソルを電話番号入力枠１３に移動させる。ｂ図はカーソル５を電話番号入力枠１３に移動させ終わった状態を示している。
ｂ図で判るように、氏名入力枠の表示は「＊＊＊＊」のままで、住所入力枠１２の表示は漢字で「東京都新宿区市谷１−２−３」と表示されたままである。これは、変換プログラム１２０が、入力情報を変換しないプログラムになっているからである。
【００２５】
ｃ図で、電話番号入力枠１３の入力を終わり、カーソルは電話番号入力枠１３の最終桁の後方に置かれた状態にある。ｃ図の状態では、住所データ、電話番号は表示されたまま、氏名データは、読解できない状態に変換されたままである。
ｃ図のカーソル５の位置をｄ図のように氏名入力枠１１の最先端位置に移動させると、ｂ，ｃ図で記号に変換されていた氏名データが、変換プログラム１１０によって入力終了時の状態に復元される。
また、ｃ図で入力を終了した電話番号入力枠は、変換プログラム１３０によって、読解できない状態に変換される。
住所は、ｂ，ｃ，ｄ図ともに入力終了時のままであるが、変換プログラム１２０を氏名入力枠や、電話番号入力枠と同様に読解不能化変換プログラムに設定すれば、読解不能に変換することができる。
【００２６】
以上説明したように、本発明の入力情報の保護方法を利用することにより、入力を終了した入力枠を読解不能にしたり、既に入力した入力枠の入力情報を確認したり、修正のために再入力可能にしたりすることができる。
【００２７】
図２は、従来の入力画面の一例であるが、ｆ図に示すように、住所入力枠２２に住所情報を入力し終わった状態でも、ｅ図の入力画面２の氏名入力枠２１に入力された氏名情報は、読解可能状態のまま変わらない。
【００２８】
図３は、従来の入力画面の他の一例である。ｇ図の入力画面３のＩＤ番号入力枠３１に、数字でＩＤ番号を、パスワード入力枠３２に数字、アルファベット、または許可された記号などによってパスワードを、入力し、氏名入力枠３３に氏名を漢字で入力する。
パスワードは、入力中も、入力した内容がパスワード入力枠３２は表示されず、ｈ図に示すように、カーソル５をパスワード入力枠３２の入力位置に戻しても入力された内容を確認することはできない。
上述のように、パスワードは、読解不能にすることはできても、パスワードの部分は再確認することができないために、登録したパスワードを忘れてしまったり入力時考えていたパスワードと異なったパスワードを登録したために、パスワード入力を必要とする画面でパスワードが一致せず、トラブルになっている例が多い。
【００２９】
図４は、入力画面４の入力枠、例えば、暗証番号入力枠４１、電話番号入力枠４４の入力情報が入力し終えると、バーコードに変換される従来技術の一例を示している。
ｉ図において、入力画面４の暗証番号入力枠４１に数字で「１２３４５６」などと暗証番号を入力する。入力された暗証情報は、即時、または入力をし終わった時点でｈ図に示すようにバーコードに変換される。
同様に、電話番号入力枠４４に数字で「０３−５１２３−４５６７」などと電話番号を入力する。入力された電話番号情報は、即時、または入力をし終わった時点でｈ図に示すようにバーコードに変換される。氏名，住所は、入力時の漢字のままであるが、前述のように、暗証番号と、電話番号はバーコードに変換される。
入力した者は、バーコードに変換された暗証番号や、電話番号を読解可能な状態に戻すことができないために、図３で説明した場合と同様のトラブルに巻き込まれる。
【００３０】
図５を参照して、本発明における入力済み情報の変換方法の一例について、図１で使用したａ図を参照しながら説明する。
ａ図に示すように、氏名入力枠１１に「日本太郎」と漢字で氏名を入力する。ｍ図に示すように、カーソル５が住所入力欄に移動すると、氏名入力枠１１に貼付された変換プログラム１１０によって、氏名入力枠に入力済みの入力情報「日本  太郎」が、漢字情報で「入力済み」と変換されて表示される。
カーソル５を、氏名入力枠１１に戻すと、ａ図の氏名入力枠に示すような漢字情報に復元して表示させることができる。
【００３１】
図６を参照して、本発明における入力済み情報の変換方法の他の一例について、図１で使用したａ図を参照しながら説明する。
ａ図に示すように、氏名入力枠１１に「日本太郎」と漢字で氏名を入力する。ｐ図に示すように、カーソル５が住所入力欄に移動すると、氏名入力枠１１に貼付された変換プログラム１１０によって、氏名入力枠に入力済みの入力情報「日本太郎」が、空欄状態に変換されて表示される。
空欄状態を入力前の色、または模様と異なる色、または模様で表示することによって、入力済みの状態を、未入力状態と区別して判別することができる。
カーソル５を、氏名入力枠１１に戻すと、ａ図の氏名入力枠に示すように、漢字情報に復元して表示させることができる。
【産業上の利用可能性】
【００３２】
本発明の入力情報の保護方法は、入力中のデータを両サイドまたは後方から覗かれても読解できない状態にしてしまうことによって、入力に時間がかかる画面に対して安心して入力作業を続けることができる分野に使用できる。
【図面の簡単な説明】
【００３３】
【図１】本発明の入力情報の保護方法について説明するための図である。
【図２】従来の入力画面の一例について説明するための図である。
【図３】従来の入力画面の他の一例について説明するための図である。
【図４】従来の技術の一例について説明するための図である。
【図５】本発明における入力済み情報の変換方法の一例について説明するための図である。
【図６】本発明における入力済み情報の変換方法の他の一例について説明するための図である。
【符号の説明】
【００３４】
１，２，３，４  入力画面
５      カーソル
１１，２１，３３，４２  氏名入力枠
１２，２２，４３  住所入力枠
１３，４４  電話番号入力枠
１４    保護解除ボタン
３１    ＩＤ番号入力枠
３２    パスワード入力枠
４１    暗証番号入力枠
１１０，１２０，１３０  変換プログラム
【図１】
2005135050.tif 000003
【図２】
2005135050.tif 000004
【図３】
2005135050.tif 000005
【図４】
2005135050.tif 000006
【図５】
2005135050.tif 000007
【図６】
2005135050.tif 000008